【手続補正書】
【提出日】平成20年7月30日(2008.7.30)
【手続補正１】
【補正対象書類名】明細書
【補正対象項目名】発明の名称
【補正方法】変更
【補正の内容】
【発明の名称】画像形成方法、画像形成システム、記録媒体、情報処理装置、制御方法及び制御プログラム
【手続補正２】
【補正対象書類名】明細書
【補正対象項目名】特許請求の範囲
【補正方法】変更
【補正の内容】
【特許請求の範囲】
【請求項１】  ホストコンピュータのアプリケーションからの出力要求に基づいて出力装置に出力する画像形成方法において、前記ホストコンピュータ側の処理能力を計数化し、前記出力装置側の処理能力を計数化し、得られた双方の処理能力を比較し、この比較された結果から出力に関わる処理を前記ホストコンピュータ側と前記出力装置側とに負荷配分して、高速に全体の出力処理が行えるようにしたことを特徴とする画像形成方法。
【請求項２】  ホストコンピュータのアプリケーションからの出力要求に基づいて出力装置に出力する画像形成システムにおいて、前記ホストコンピュータ側の処理能力を計数化する手段と、前記出力装置側の処理能力を計数化する手段と、これらの手段によって得られた双方の前記処理能力を比較する手段と、この比較結果から出力に関わる処理を前記ホストコンピュータ側と前記出力装置側に負荷配分する手段とを備え、出力処理の全体について高速化することを特徴とする画像形成システム。
【請求項３】  請求項２に記載の画像形成システムにおいて、前記負荷配分する手段は、ページ記述言語を異なるレベルの中間言語（モード）に切り替えることによって配分することを特徴とする画像形成システム。
【請求項４】  請求項２に記載の画像形成システムにおいて、前記処理能力を計数化する手段は、前記ホストコンピュータ側および前記出力装置側の処理能力をそれぞれ動的に計数化するようにしたこと特徴とする画像形成システム。
【請求項５】  アプリケーションプログラムから出力装置へ出力要求を送信するコンピュータとこのコンピュータからの要求に基づいて出力画像を形成する出力装置とを有する画像形成システムとして機能させるコンピュータが読み出し可能なプログラムを格納した記録媒体であって、前記出力装置は、この出力装置の処理能力を計数化する工程と、計数化された値を前記コンピュータへ送信する工程とを有し、前記コンピュータは、このコンピュータの処理能力を計数化する工程と、このコンピュータの処理能力と前記出力装置から受信した処理能力とを比較する工程と、この比較された結果から出力に関わる処理をこのコンピュータと前記出力装置とに負荷配分する工程とを有し、出力処理を全体として高速に処理できる画像処理システムの機能を実現するためのプログラムを記録したことを特徴とするコンピュータ読み取り可能な記録媒体。
【請求項６】  ホストコンピュータのアプリケーションからの出力要求に基づき複数の印刷処理レベルを経て印刷データを出力装置に出力する画像形成システムにおいて、
前記ホストコンピュータが、前記複数の印刷処理レベルまで処理を行い前記出力装置に印刷データを受け渡すＰＤＬモード切替手段と、
前記ＰＤＬモード切替手段によって前記ホストコンピュータと前記出力装置とで印刷処理の負荷を分配することを特徴とする画像形成システム。
【請求項７】  前記ＰＤＬモード切替手段は、ユーザーによって指定された処理モードに応じて、負荷配分の設定値に従い前記出力装置に出力する複数の印刷処理レベルを切り替えることを特徴とする請求項６記載の画像形成システム。
【請求項８】  前記複数の印刷処理モードは、少なくともホストコンピュータと出力装置とで印刷処理をそれぞれ分担するモードを含むことを特徴とする請求項６または７記載の画像形成システム。
【請求項９】  前記ホストコンピュータが有するプリンタドライバは、
第１の中間言語に変換する手段と、
前記ＰＤＬモード切替手段が切り替えるＰＤＬのモードレベルに応じて前記第１の中間言語を第２の中間言語に変換する手段と、を備えることを特徴とする請求項６から８の何れか１項に記載の画像形成システム。
【請求項１０】  第１の中間言語を変換した第２の中間言語を出力装置に出力する情報処理装置であって、
前記第１の中間言語を処理レベルの異なる複数のモードで前記第２の中間言語に変換可能な変換手段を有し、
前記変換手段は、前記出力装置の負荷と前記情報処理装置の負荷とに基づいて、前記複数のモードの中から特定のモードを決定し、該決定した特定のモードで前記第１の中間言語を前記第２の中間言語に変換することを特徴とする情報処理装置。
【請求項１１】  前記情報処理装置の負荷は、前記変換手段が前記ページ記述言語を前記中間言語に変換する際の負荷であることを特徴とする請求項１０記載の情報処理装置。
【請求項１２】  出力装置と、情報処理装置と、を有して構成する画像形成システムであって、
前記情報処理装置は、
第１の中間言語を処理レベルの異なる複数のモードで第２の中間言語に変換可能な変換手段と、
前記変換手段で変換した前記第２の中間言語を前記出力装置に出力する出力手段と、を有し、
前記変換手段は、前記出力装置の負荷と前記情報処理装置の負荷とに基づいて、前記複数のモードの中から特定のモードを決定し、該決定した特定のモードで前記第１の中間言語を前記第２の中間言語に変換し、
前記出力装置は、
前記情報処理装置から出力された前記第２の中間言語を変換したデータに基づいて画像データを出力する出力手段を有することを特徴とする画像形成システム。
【請求項１３】  第１の中間言語を変換した第２の中間言語を出力装置に出力する情報処理装置が行う制御方法であって、
前記第１の中間言語を処理レベルの異なる複数のモードで前記第２の中間言語に変換可能な変換工程を有し、
前記変換工程は、前記出力装置の負荷と前記情報処理装置の負荷とに基づいて、前記複数のモードの中から特定のモードを決定し、該決定した特定のモードで前記第１の中間言語を前記第２の中間言語に変換することを特徴とする制御方法。
【請求項１４】  第１の中間言語を変換した第２の中間言語を出力装置に出力する情報処理装置に実行させる制御プログラムであって、
前記第１の中間言語を処理レベルの異なる複数のモードで前記第２の中間言語に変換可能な変換処理を前記情報処理装置に実行させ、
前記変換処理は、前記出力装置の負荷と前記情報処理装置の負荷とに基づいて、前記複数のモードの中から特定のモードを決定し、該決定した特定のモードで前記第１の中間言語を前記第２の中間言語に変換することを特徴とする制御プログラム。
【手続補正３】
【補正対象書類名】明細書
【補正対象項目名】０００１
【補正方法】変更
【補正の内容】
【０００１】
【発明の属する技術分野】
この発明は、画像形成方法、画像形成システム、記録媒体、情報処理装置、制御方法及び制御プログラムに関し、詳細には、アプリケーションからの出力情報を出力装置の解析可能な出力データに変換して出力する画像形成技術に関し、複写機、プリンタ等に用いて好適である。
【手続補正４】
【補正対象書類名】明細書
【補正対象項目名】０００７
【補正方法】変更
【補正の内容】
【０００７】
本発明は、上記の問題点を解決するためになされたものであって、高速な出力が可能な画像形成方法、画像形成システム、記録媒体、情報処理装置、制御方法及び制御プログラムを提供することを目的とする。
【手続補正５】
【補正対象書類名】明細書
【補正対象項目名】０００８
【補正方法】変更
【補正の内容】
【０００８】
かかる目的を達成するために、本発明は、以下の特徴を有することとする。
＜画像形成方法＞
本発明にかかる画像形成方法は、ホストコンピュータのアプリケーションからの出力要求に基づいて出力装置に出力する画像形成方法において、前記ホストコンピュータ側の処理能力を計数化し、前記出力装置側の処理能力を計数化し、得られた双方の処理能力を比較し、この比較された結果から出力に関わる処理を前記ホストコンピュータ側と前記出力装置側とに負荷配分して、高速に全体の出力処理が行えるようにしたことを特徴とする。
【手続補正６】
【補正対象書類名】明細書
【補正対象項目名】０００９
【補正方法】変更
【補正の内容】
【０００９】
＜画像形成システム＞
また、本発明にかかる画像形成システムは、ホストコンピュータのアプリケーションからの出力要求に基づいて出力装置に出力する画像形成システムにおいて、前記ホストコンピュータ側の処理能力を計数化する手段と、前記出力装置側の処理能力を計数化する手段と、これらの手段によって得られた双方の前記処理能力を比較する手段と、この比較結果から出力に関わる処理を前記ホストコンピュータ側と前記出力装置側に負荷配分する手段とを備え、出力処理の全体について高速化することを特徴とする。
また、本発明にかかる画像形成システムは、ホストコンピュータのアプリケーションからの出力要求に基づき複数の印刷処理レベルを経て印刷データを出力装置に出力する画像形成システムにおいて、前記ホストコンピュータが、前記複数の印刷処理レベルまで処理を行い前記出力装置に印刷データを受け渡すＰＤＬモード切替手段と、前記ＰＤＬモード切替手段によって前記ホストコンピュータと前記出力装置とで印刷処理の負荷を分配することを特徴とする。
また、本発明にかかる画像形成システムは、出力装置と、情報処理装置と、を有して構成する画像形成システムであって、前記情報処理装置は、第１の中間言語を処理レベルの異なる複数のモードで第２の中間言語に変換可能な変換手段と、前記変換手段で変換した前記第２の中間言語を前記出力装置に出力する出力手段と、を有し、前記変換手段は、前記出力装置の負荷と前記情報処理装置の負荷とに基づいて、前記複数のモードの中から特定のモードを決定し、該決定した特定のモードで前記第１の中間言語を前記第２の中間言語に変換し、前記出力装置は、前記情報処理装置から出力された前記第２の中間言語を変換したデータに基づいて画像データを出力する出力手段を有することを特徴とする。
【手続補正７】
【補正対象書類名】明細書
【補正対象項目名】００１０
【補正方法】変更
【補正の内容】
【００１０】
＜記録媒体＞
また、本発明にかかる記録媒体は、アプリケーションプログラムから出力装置へ出力要求を送信するコンピュータとこのコンピュータからの要求に基づいて出力画像を形成する出力装置とを有する画像形成システムとして機能させるコンピュータが読み出し可能なプログラムを格納した記録媒体であって、前記出力装置は、この出力装置の処理能力を計数化する工程と、計数化された値を前記コンピュータへ送信する工程とを有し、前記コンピュータは、このコンピュータの処理能力を計数化する工程と、このコンピュータの処理能力と前記出力装置から受信した処理能力とを比較する工程と、この比較された結果から出力に関わる処理をこのコンピュータと前記出力装置とに負荷配分する工程とを有し、出力処理を全体として高速に処理できる画像処理システムの機能を実現するためのプログラムを記録したことを特徴とする。
【手続補正８】
【補正対象書類名】明細書
【補正対象項目名】００１１
【補正方法】変更
【補正の内容】
【００１１】
＜情報処理装置＞
また、本発明にかかる情報処理装置は、第１の中間言語を変換した第２の中間言語を出力装置に出力する情報処理装置であって、前記第１の中間言語を処理レベルの異なる複数のモードで前記第２の中間言語に変換可能な変換手段を有し、前記変換手段は、前記出力装置の負荷と前記情報処理装置の負荷とに基づいて、前記複数のモードの中から特定のモードを決定し、該決定した特定のモードで前記第１の中間言語を前記第２の中間言語に変換することを特徴とする。
【手続補正９】
【補正対象書類名】明細書
【補正対象項目名】００１２
【補正方法】変更
【補正の内容】
【００１２】
＜制御方法＞
また、本発明にかかる制御方法は、第１の中間言語を変換した第２の中間言語を出力装置に出力する情報処理装置が行う制御方法であって、前記第１の中間言語を処理レベルの異なる複数のモードで前記第２の中間言語に変換可能な変換工程を有し、前記変換工程は、前記出力装置の負荷と前記情報処理装置の負荷とに基づいて、前記複数のモードの中から特定のモードを決定し、該決定した特定のモードで前記第１の中間言語を前記第２の中間言語に変換することを特徴とする。
＜制御プログラム＞
また、本発明にかかる制御プログラムは、第１の中間言語を変換した第２の中間言語を出力装置に出力する情報処理装置に実行させる制御プログラムであって、前記第１の中間言語を処理レベルの異なる複数のモードで前記第２の中間言語に変換可能な変換処理を前記情報処理装置に実行させ、前記変換処理は、前記出力装置の負荷と前記情報処理装置の負荷とに基づいて、前記複数のモードの中から特定のモードを決定し、該決定した特定のモードで前記第１の中間言語を前記第２の中間言語に変換することを特徴とする。